(57)【要約】【課題】レディセンサによるエンドパーフォレーションの読取作業に失敗した場合でも、カートリッジからのＡＰＳフィルムの引き出しをストップして、フィルムの破損を極力少なくすることが出来る画像処理装置を提供する。【解決手段】搬送装置により搬送されるＡＰＳフィルムのエンドパーフォレーションを検出するためのレディセンサと、前記搬送装置により搬送されるＡＰＳフィルムに記録されたリーダー側情報掲載部及びトレーラー側情報掲載部を読み取るＤＸセンサと、レディセンサがエンドパーフォレーションを読み取ったか、若しくはＤＸセンサで読み取られたリーダー側情報掲載部とトレーラー側情報掲載部の駒画像数の情報が一致した場合に、搬送されるＡＰＳフィルムがエンドであると判断して、前記搬送装置によるフィルムの引き出しを停止させるメインコントローラとを備えた。【選択図】  図３
2004205915.tif 000002
【特許請求の範囲】
【請求項１】
フィルムの基端部を示すエンドパーフォレーションと、フィルムの先端部側に付された駒画像の数量を記録するリーダー側情報記録部と、フィルムの基端部側に付された駒画像の数量を記録するトレーラー側情報記録部とが備えられたフィルムを使用し、搬送装置により前記フィルムをカートリッジから引き出しながら、フィルムの駒画像を順次読み取って画像処理するようにした画像処理装置において、
前記搬送装置により搬送されるフィルムのエンドパーフォレーションを検出するためのエンドパーフォレーション読取手段と、
前記搬送装置により搬送されるフィルムに記録されたリーダー側情報記録部及びトレーラー側情報記録部を読み取る情報データ読取手段と、
エンドパーフォレーション読取手段がエンドパーフォレーションを読み取ったか、若しくは情報データ読取手段で読み取られたリーダー側情報記録部とトレーラー側情報記録部の駒画像数の情報が一致した場合に、前記搬送装置によるフィルムの引き出しを停止させる制御手段とが備えられていることを特徴とする画像処理装置。
【発明の詳細な説明】
【０００１】
【発明の属する技術分野】
本発明は、現像処理済みフィルムをカートリッジから引き出しながらフィルムに付されている駒画像などの各種情報を読み取って、画像処理する画像処理装置に関する。
【０００２】
【従来の技術】
近年、アドバンストフォトシステム用のＡＰＳフィルムが開発されているが、このＡＰＳフィルムは、通常、カートリッジ内に巻き取られた状態で収容されている。そしてこのＡＰＳフィルムの基端部には、フィルムの基端部であることを示すエンドパーフォレーションが形成されており、またＡＰＳフィルムの先端部と基端部には、駒画像の数量の情報等が記録されたバーコードからなるリーダー側情報記録部及びトレーラー側情報記録部が付されている。
【０００３】
ところで以上のＡＰＳフィルムに撮影された駒画像を例えばプリント処理するための画像処理装置には、ＡＰＳフィルムの駒画像をスキャニングする際に用いるフィルムキャリアユニットが搭載され、このフィルムキャリアユニットを用いてＡＰＳフィルムのスキャニングを行なう際には、フィルムキャリアユニットの搬送装置によりＡＰＳフィルムをカートリッジから最終の駒画像まで引き出しながら所謂プレスキャンを行なった後、最終駒画像まで引き出したフィルムを搬送装置によりカートリッジ内に巻き取りながら、本スキャンを行なうようにしている。
【０００４】
そして従来では、搬送装置により引き出されるＡＰＳフィルムが最終の駒画像まで引き出されたか否かは、センサによりＡＰＳフィルムに形成されたエンドパーフォレーションを読み取ることで判断している。
【０００５】
【発明が解決しようとする課題】
しかしながら、以上の検出方法では、センサがエンドパーフォレーションの読み取りに失敗した場合には、搬送装置によりＡＰＳフィルムがカートリッジから最終の駒画像まで引き出されているにもかかわらず、ＡＰＳフィルムが最終の駒画像まで引き出されたのを判断することが出来なくなって、ともすると最終の駒画像まで引き出されたＡＰＳフィルムが搬送装置により更に引き出し方向に引っ張られて、ＡＰＳフィルムが破損するなどの不具合が生じる。
【０００６】
本発明は以上の実情に鑑みて開発したものであって、目的とするところは、センサによるエンドパーフォレーションの読み取りに失敗した場合でも、フィルムの引き出しをストップして、フィルムの破損を極力少なくすることの出来る画像処理装置を提供するにある。
【０００７】
【課題を解決するための手段】
以上の目的を達成するために請求項１に記載の発明は、フィルムの基端部を示すエンドパーフォレーションと、フィルムの先端部側に付された駒画像の数量を記録するリーダー側情報記録部と、フィルムの基端部側に付された駒画像の数量を記録するトレーラー側情報記録部とが備えられたフィルムを使用し、搬送装置により前記フィルムをカートリッジから引き出しながら、フィルムの駒画像を順次読み取って画像処理するようにした画像処理装置において、前記搬送装置により搬送されるフィルムのエンドパーフォレーションを検出するためのエンドパーフォレーション読取手段と、前記搬送装置により搬送されるフィルムに記録されたリーダー側情報記録部及びトレーラー側情報記録部を読み取る情報データ読取手段と、エンドパーフォレーション読取手段がエンドパーフォレーションを読み取ったか、若しくは情報データ読取手段で読み取られたリーダー側情報記録部とトレーラー側情報記録部の駒画像数の情報が一致した場合に、前記搬送装置によるフィルムの引き出しを停止させる制御手段とが備えられていることを特徴とするものである。
【０００８】
【発明の実施の形態】
図１は、画像処理装置の一例である写真処理装置を示したものであって、この写真処理装置は、
現像済フィルムをセットして搬送するための搬送装置が搭載されたフィルムキャリアユニット１、このフィルムキャリアユニット１にセットされた現像済フィルムの駒画像を読み取るためのスキャナ２１、ＭＯなどの記録メディアに記録した画像データを読み取るための読み取り装置２２、スキャナ２１または読み取り装置２２で読み取った画像データに主として各種の画像処理を施すための画像処理部２３を搭載した画像処理機２と、
画像処理機２で処理された画像データにより、プリント用紙の一例である印画紙Ｐに画像を焼き付けるためのプリンター３と、
プリンター３で画像が焼き付けられた印画紙を現像するためのプロセッサ４と、プロセッサ４で現像処理されて仕上がったプリントを仕分けるための仕分け機５とが備えられている。
【０００９】
フィルムキャリアユニット１は、フィルムを挟持するように上下二分割される構成となっており、このフィルムキャリアユニット１内には、図２にも示すように、ＡＰＳフィルムＦと１３５フィルムに対応した２つのフィルム搬送路１０ａ・１０ｂが形成されており、これらフィルム搬送路１０ａ・１０ｂの途中には、光源からの光を通過させるスキャニングゲート１１ａ・１１ｂが形成されている。
そして各搬送経路１０ａ・１０ｂには、ＡＰＳフィルムＦ若しくは１３５フィルムを搬送するための複数の搬送ローラ１２０ａ・１２０ｂを備えた搬送装置１２ａ・１２ｂが設けられ、この搬送装置１２ａ・１２ｂを介してＡＰＳフィルムＦ若しくは１３５フィルムを搬送しながら、駒画像のスキャニングが行なえるようにしている。
【００１０】
ＡＰＳフィルムＦのフィルム搬送路１０ａの始端側には、ＡＰＳフィルムＦが装填されたカートリッジＣを装着するためのカートリッジ装着部１３が設けられ、フィルム搬送路１０ａの終端側には、カートリッジＣから引き出されたＡＰＳフィルムＦを巻き取るための巻取り部１４が設けられている。
【００１１】
また、ＡＰＳフィルムＦのフィルム搬送路１０ａの途中でスキャニングゲート１１ａよりも上流側には、ＡＰＳフィルムＦの先端の検出並びにＡＰＳフィルムＦの基端部に設けられたエンドパーフォレーションＥＰの検出のためのレディセンサー１５と、ＡＰＳフィルムＦに付されたバーコードＢを読み取る読取手段としてのＤＸセンサー１６が設けられ、更にＡＰＳフィルムＦのフィルム搬送路１０ａの途中でスキャニングゲート１１ａよりも下流側には、ＡＰＳフィルムＦの駒画像Ｄ毎に設けられているパーフォレーションＰＦを検出するためのパーフォレーションセンサ１７が設けられている。
【００１２】
尚、前述のバーコードＢは、図４にも示すように、ＡＰＳフィルムＦの先端部側に付された駒画像の数量などを記録するリーダー側情報記録部Ｂ１と、ＡＰＳフィルムＦの基端部、即ちカートリッジＣへの巻取り端側に付された駒画像の数量などを記録するトレーラー側情報記録部Ｂ２と、駒画像Ｄ毎に記録されている駒画像情報記録部Ｂ３とから構成されており、リーダー側情報記録部Ｂ１とトレーラー側情報記録部Ｂ２は、同一の内容が記録されている。
【００１３】
画像処理機２に搭載されているスキャナ２１は、現像済フィルムをフィルムキャリアユニット１にセットすることにより、光源ユニット２０からの光を、ゲート１１ａ・１１ｂを介してフィルムに照射して、フィルムの各駒画像Ｄを順次読み取って画像処理部２３に出力するようにしている。
【００１４】
また画像処理部２３では、スキャナ２１または読み取り装置２２で読み取られた画像データに各種画像処理を施すようにしている。
【００１５】
画像処理部２３は、画像処理ソフトウエア等がインストールされたコンピュータから成るメインコントローラ２４と、メインコントローラ２４に各種情報を入力するためのキーボード２５ａ及びマウス２５ｂと、各種情報を表示するためのモニター２６とから構成されている。
【００１６】
そしてスキャナ２１若しくは読み取り装置２２により読み取られた画像データは、所定の処理プログラムとキーボード２５ａまたはマウス２５ｂにより入力されるプリントサイズなどの各種情報に基づいてメインコントローラ２４により適宜処理された後、順次プリントデータとしてプリンター３に搭載したサブコントローラ３０に出力するようにしている。
【００１７】
またメインコントローラ２４のプログラム上には、フィルムキャリアユニット制御機能２７が構築され、このフィルムキャリアユニット制御機能２７では、エンドパーフォレーション読取手段としてのレディセンサ１５及び情報データ読取手段としてのＤＸセンサ１６の読取結果に基づき、少なくとも、レディセンサ１５がエンドパーフォレーションＥＰを読み取ったか、若しくはＤＸセンサ１６で読み取られるリーダー側情報記録部Ｂ１とトレーラー側情報記録部Ｂ２の駒画像数の情報が一致した場合に、搬送されるＡＰＳフィルムＦが最終の駒画像まで引き出されてエンドであると判断して、フィルムキャリアユニット１の搬送装置１２ａによるＡＰＳフィルムＦの引き出しを停止させた後、本スキャン作業に移るべくフィルムをカートリッジに巻き戻すようにしている。
【００１８】
以上のフィルムキャリアユニット制御機能２７では、ＡＰＳフィルムＦのプレスキャン開始に伴い、まずレディセンサ１５によりフィルムＦの先端を検出した後、ＤＸセンサ１６によりリーダ側情報記録部Ｂ１を読み取ると、この読み取りデータをフィルムキャリアユニット制御機能２７で解析し、その解析による駒画像数に基づいて、パーフォレーションセンサ１７によりパーフォレーションＰＦを読み取りながら、ＤＸセンサーが順次駒画像情報記録部Ｂ３を順次読み取るのであって、パーフォレーションセンサ１７が、解析された駒画像数の最終駒画像の1つ手前の駒画像に対応するパーフォレーションＰＦを読み取った時点で、ＤＸセンサ１６によるトレーラー側情報記録部Ｂ２の読み取りデータのデータ解析がフィルムキャリアユニット制御機能２７で開始されるようにしている。
【００１９】
プリンター３は、画像処理機２の画像処理部２３で作成されたプリントデータを印画紙Ｐに焼き付けるためのものであり、画像処理部２３から出力されたプリントデータなどを入力するためのサブコントローラ３０と、ロール状に巻かれた印画紙を充填した２台のペーパーマガジン３１ａ・３１ｂと、ペーパーマガジン３１ａ・３１ｂから送り出される印画紙Ｐを搬送するための搬送機構３２と、搬送機構３２で搬送される印画紙Ｐにサブコントローラ３０を介して画像データを露光するための露光機構３３とが搭載されている。
【００２０】
そしてプリンター３では、メインコントローラ２４から出力されるプリントデータがサブコントローラ３０に入力されるに伴い、このサブコントローラ３０で、入力されるプリントデータに基づいて露光用データが生成されて、露光機構３３に出力されるようにしている。
【００２１】
尚、露光機構３３の方式としては、ＰＬＺＴシャッター方式やレーザービーム方式、液晶シャッター方式、蛍光ビーム方式等が知られており、仕様に応じて任意の方式を採択することが出来る。
【００２２】
プロセッサ４は、プリンター３で画像が焼き付け処理された印画紙Ｐを現像処理するための現像処理機構４１と、現像処理機構４１で現像処理された印画紙を乾燥するための乾燥処理機構４２と、乾燥処理された印画紙Ｐを排出するためのプリント排出機構４３と、このプリント排出機構４３から排出された印画紙Ｐを後記する仕分け部５に向けて搬送するための搬送コンベヤ（図示せず）とを備えて成り、搬送コンベヤの下流側に仕分け部５を配置し、搬送コンベヤにより搬送されて来た印画紙Ｐを仕分け部５により例えばオーダー毎に仕分けするようにしている。
【００２３】
以上の構成からなる写真処理装置により、駒画像Ｄの数が２５駒であるＡＰＳフィルムＦを用いて、駒画像Ｄのスキャニング作業を行なう場合を図５に示すフローチャートに従って説明する。
【００２４】
（１）まずＤＸセンサ１６が読み取ったリーダー側情報記録部Ｂ１のデータより解析した画像の駒数が実際の駒数（２５駒）と等しい場合（ステップ１０１）において、
プレスキャン作業に伴い、レディセンサ１５がエンドパーフォレーションＥＰを読み取った時（ステップ１０２）には、フィルムキャリアユニット制御機能２７によるフィルムキャリアユニット１の搬送装置１２ａの制御により、カートリッジＣからのＡＰＳフィルムＦの引き出しが停止され、続いてＡＰＳフィルムＦがカートリッジＣに巻き戻されて本スキャンが開始（ステップ１０３）される。
【００２５】
一方、レディセンサ１５がエンドパーフォレーションＥＰを読み取れなかった場合（ステップ１０４）において、ＤＸセンサ１６が読み取ったトレーラー側情報記録部Ｂ２のデータより解析した画像の駒数が、リーダー側情報記録部Ｂ１のデータより解析した画像の駒数と一致した時（ステップ１０５）には、フィルムキャリアユニット制御機能２７による搬送装置１２ａの制御により、カートリッジＣからのＡＰＳフィルムＦの引き出しが停止された後、ＡＰＳフィルムＦがカートリッジＣに巻き戻されて、本スキャンが開始（ステップ１０６）される。
【００２６】
これに対し、トレーラー側情報記録部Ｂ２のデータより解析した画像の駒数が、リーダー側情報記録部Ｂ１のデータより解析した画像の駒数と一致しない時（ステップ１０７）には、カートリッジＣからのＡＰＳフィルムＦの引き出しが停止されると共に、モニター２６にエラー発生が表示（ステップ１０８）される。
【００２７】
（２）次にＤＸセンサ１６が読み取ったリーダー側情報記録部Ｂ１のデータより解析した画像の駒数が実際の駒数（２５駒）よりも大きいと誤認した場合、例えば誤って４０駒と解析した場合（ステップ１０９）において、
プレスキャン作業に伴い、レディセンサ１５がエンドパーフォレーションＥＰを読み取った時（ステップ１１０）には、フィルムキャリアユニット制御機能２７によるフィルムキャリアユニット１の搬送装置１２ａの制御により、カートリッジＣからのＡＰＳフィルムＦの引き出しが停止された後、ＡＰＳフィルムＦがカートリッジＣに巻き戻されて本スキャンが開始（ステップ１１１）される。
【００２８】
一方、レディセンサ１５がエンドパーフォレーションＥＰを読み取れなかった場合（ステップ１１２）には、リーダー側情報記録部Ｂ１のデータより解析した画像の駒数（４０駒）まで続けてＡＰＳフィルムが搬送されようとするが、実際のフィルム（２５駒）は短いので、２５駒目以降においてパーフォレーションセンサ１７がパーフォレーションＰＦの読み取りが行なえなくなり、その時点で、カートリッジＣからのＡＰＳフィルムＦの引き出しが停止されると共に、モニター２６にエラー発生が表示（ステップ１１３）される。
【００２９】
（３）更にＤＸセンサ１６が読み取ったリーダー側情報記録部Ｂ１のデータより解析した画像の駒数が実際の駒数（２５駒）よりも小さい例えば１５駒と解析した場合（ステップ１１４）において、
１５駒目の画像のプレスキャン作業が終ると、トレーラー側情報記録部Ｂ２のデータの解析が開始され、ＤＸセンサ１６がトレーラー側情報記録部Ｂ２を読み取るに伴い、この読み取りデーにより解析した画像の駒数が、リーダー側情報記録部Ｂ１のデータより解析した画像の駒数と一致した時（ステップ１１５）には、フィルムキャリアユニット制御機能２７によるフィルムキャリアユニット１の搬送装置１２ａの制御により、カートリッジＣからのＡＰＳフィルムＦの引き出しが停止された後、ＡＰＳフィルムＦがカートリッジＣに巻き戻されて本スキャンが開始（ステップ１１６）される。
【００３０】
１５駒目の画像のプレスキャン作業終了後、ＤＸセンサ１６が読み取ったトレーラー側情報記録部Ｂ２のデータが解析できなかったか、若しくは解析した画像の駒数が、リーダー側情報記録部Ｂ１のデータより解析した画像の駒数と一致しない時（ステップ１１７）場合において、
レディセンサ１５がエンドパーフォレーションＥＰを読み取った時（ステップ１１８）には、フィルムキャリアユニット制御機能２７によるフィルムキャリアユニット１の搬送装置１２ａの制御により、カートリッジＣからのＡＰＳフィルムＦの引き出しが停止された後、ＡＰＳフィルムＦがカートリッジＣに巻き戻されて本スキャンが開始（ステップ１１９）される。
【００３１】
これに対してレディセンサ１５がエンドパーフォレーションＥＰを読み取れなかった時（ステップ１２０）には、カートリッジＣからのＡＰＳフィルムＦの引き出しが停止されると共に、モニター２６にエラー発生が表示（ステップ１２１）される。
【００３２】
（４）また更にＤＸセンサ１６が読み取ったリーダー側情報記録部Ｂ１のデータより解析した画像の駒数が解析できなかったか、若しくは解析された駒数が異常であった場合、即ち実際のＡＰＳフィルムには存在しない１５駒、２５駒、４０駒以外の数が誤って解析されてしまった場合（ステップ１２２）において、
レディセンサ１５にてエンドパーフォレーションＥＰの監視が行なわれ、レディセンサ１５がエンドパーフォレーションＥＰを読み取った時点（ステップ１２３）では、フィルムキャリアユニット制御機能２７によるフィルムキャリアユニット１の搬送装置１２ａの制御により、カートリッジＣからのＡＰＳフィルムＦの引き出しが停止された後、ＡＰＳフィルムＦがカートリッジＣに巻き戻されて本スキャンが開始（ステップ１２４）される。
【００３３】
一方、レディセンサ１５がエンドパーフォレーションＥＰを読み取れない場合（ステップ１２５）には、パーフォレーションセンサ１７がパーフォレーションＰＦの読み取りが行なえなくなった時点で、カートリッジＣからのＡＰＳフィルムＦの引き出しが停止されると共に、モニター２６にエラー発生が表示（ステップ１２６）される。
【００３４】
斯くして以上の写真処理装置では、レディセンサ１５によるエンドパーフォレーションＥＰの読取に失敗した場合でも、ＤＸセンサ１６によるバーコードＢの読み取り結果に基づいて、フィルムキャリアユニット制御機能２７により搬送装置１２ａが制御されて、最終駒画像まで引き出されているＡＰＳフィルムＦがそれ以上カートリッジＣから引き出されるのが防止されるので、フィルムが不用意に破損するような不具合を解消することが出来るのである。
【００３５】
【発明の効果】
以上説明したように、請求項１に記載の発明によれば、搬送装置により搬送されるフィルムのエンドパーフォレーションを検出するためのエンドパーフォレーション読取手段と、前記搬送装置により搬送されるフィルムに記録されたリーダー側情報記録部及びトレーラー側情報記録部を読み取る情報データ読取手段と、エンドパーフォレーション読取手段がエンドパーフォレーションを読み取ったか、若しくは情報データ読取手段で読み取られたリーダー側情報記録部とトレーラー側情報記録部の情報が一致した場合に、前記搬送装置によるフィルムの引き出しを停止させる制御手段とが備えられたことにより、エンドパーフォレーション読取手段によるエンドパーフォレーションの読取に失敗した場合でも、情報データ読取手段で読み取られたリーダー側情報記録部とトレーラー側情報記録部の情報が一致した場合には、制御手段による搬送装置の制御により、カートリッジからのフィルムの引き出しを停止させることが出来、フィルムの破損を極力少なくすると共に、本スキャンを開始することが出来るに至ったのである。
【図面の簡単な説明】
【図１】本発明にかかる写真処理装置の説明図。
【図２】フィルムキャリアユニトの説明図。
【図３】本発明にかかる写真処理装置の制御系統の構成図。
【図４】ＡＰＳフィルムの説明図。
【図５】同、写真処理装置の作動を示すフローチャート。
【符号の説明】
１      フィルムキャリアユニット
１２ａ  搬送装置
１５    レディセンサ（エンドパーフォレーション読取手段）
１６    ＤＸセンサ（情報データ読取手段）
２      画像処理機
２４    メインコントローラ（制御手段）
３      プリンタ
Ｆ      ＡＰＳフィルム
Ｃ      カートリッジ
ＥＰ    エンドパーフォレーション
Ｂ      バーコード
Ｂ１    リーダー側情報記録部
Ｂ２    トレーラー側情報記録部
Ｂ３    駒画像情報記録部
Ｄ      駒画像
ＦＰ    パーフォレーション
【図１】
2004205915.tif 000003
【図２】
2004205915.tif 000004
【図３】
2004205915.tif 000005
【図４】
2004205915.tif 000006
【図５】
2004205915.tif 000007